(57)【要約】【課題】システムが有する機能を遠隔で実行指示することができ、ユビキタス・ネットワークに適した無線応答装置システムを提供する。【解決手段】送受信装置４が記録媒体２に着脱自在に取り付けられた無線応答装置３から無線により無線応答装置ＩＤを取得すると、制御装置６は、その無線応答装置ＩＤに割り当てられた機能をサーバ８内のデータベースを参照して認識し、当該機能を実行する。これにより、例えば、記録媒体３に記録されている文書データをプリンタ９により印刷することができる。【選択図】図１
2007129657.tif 000002
【特許請求の範囲】
【請求項１】
受信した質問波に応じて識別情報を含む応答波を送信する無線応答装置と、
前記無線応答装置に前記質問波を送信して前記無線応答装置からの前記応答波を受信し、前記応答波に含まれる前記識別情報を取得する送受信装置と、
前記送受信装置が取得した前記識別情報に割り当てられた機能を実行する機能実行手段とを備えたことを特徴とする無線応答装置システム。
【請求項２】
前記無線応答装置は、前記質問波および前記応答波を送受信するアンテナと、前記識別情報を発生する識別情報発生手段と、前記アンテナと前記識別情報発生手段との間に設けられ、外部からの刺激に応じてインピーダンスが変化するインピーダンス変換部とを備えたことを特徴とする請求項１に記載の無線応答装置システム。
【請求項３】
前記インピーダンス変換部は、外力に応じてインダクタンスが変化する可変インダクタ、外力に応じてキャパシタが変化する可変キャパシタ、又は外力若しくは外光に応じて抵抗値が変化する可変抵抗を備えたことを特徴とする請求項２に記載の無線応答装置システム。
【請求項４】
前記インピーダンス変換部は、インピーダンスの変化量に応じて前記識別情報を多値信号として出力させることを特徴とする請求項２に記載の無線応答装置システム。
【請求項５】
前記識別情報発生手段は、ＳＡＷ−ＩＤタグ、ＲＦ−ＩＤタグ、あるいは遅延線を用いたことを特徴とする請求項２に記載の無線応答装置システム。
【請求項６】
前記識別情報発生手段が発生する前記識別情報は、前記送受信装置が前記質問波を発生してから前記応答波を受信するまでの遅延時間に対応するものであることを特徴とする請求項２に記載の無線応答装置システム。
【請求項７】
前記機能実行手段は、前記識別情報とともに前記識別情報に割り当てられた前記機能を記憶する記憶装置と、前記送受信装置が取得した前記識別情報に基づいて前記記憶装置から前記識別情報に対応する前記機能を検索し、その検索した前記機能を実行する制御装置とを備えたことを特徴とする請求項２に記載の無線応答装置システム。
【請求項８】
前記制御装置は、表示部を有し、前記送受信装置が取得した前記識別情報とともに前記識別情報に割り当てられた機能を前記表示部に表示することを特徴とする請求項７に記載の無線応答装置システム。
【請求項９】
前記無線応答装置は、無電源で動作することを特徴とする請求項１に記載の無線応答装置システム。
【請求項１０】
前記無線応答装置は、記録媒体に着脱自在に取り付けられたことを特徴とする請求項１に記載の無線応答装置システム。
【請求項１１】
前記無線応答装置は、前記記録媒体を挟持する挟持部材に取り付けられたことを特徴とする請求項１０に記載の無線応答装置システム。
【請求項１２】
前記記録媒体は、前記無線応答装置とともに、前記送受信装置からの前記質問波に応じて前記記録媒体を識別する識別情報を送信する非接触ＩＤタグが取り付けられたことを特徴とする請求項１０に記載の無線応答装置システム。
【請求項１３】
前記記録媒体は、複数の記録領域に対応して複数の前記無線応答装置が取り付けられ、
前記機能実行手段は、前記複数の無線応答装置からの複数の前記応答波にそれぞれ含まれる前記識別情報に応じた前記機能を実行することを特徴とする請求項１０に記載の無線応答装置システム。
【請求項１４】
前記記録媒体は、前記識別情報に割り当てられた前記機能が記録され、
前記機能実行手段は、前記記録媒体の前記機能が記録された領域を撮像する撮像部と、前記撮像手段によって撮像された画像から前記機能を文字認識する文字認識部と、前記文字認識部によって文字認識された前記機能を実行する制御部とを備えたことを特徴とする請求項１０に記載の無線応答装置システム。
【請求項１５】
前記記録媒体は、電子ペーパーであることを特徴とする請求項１０に記載の無線応答装置システム。
【請求項１６】
前記機能実行手段は、前記送受信装置が取得した前記識別情報とともに前記識別情報に割り当てられた前記機能を前記電子ペーパーに表示することを特徴とする請求項１５に記載の無線応答装置システム。
【請求項１７】
前記機能実行手段は、識別情報に対応して画像データを記憶する記憶部と、前記送受信装置が取得した前記識別情報に対応する前記画像データを前記記憶部から読み出し、その読み出した前記画像データを前記電子ペーパーに表示することを特徴とする請求項１５に記載の無線応答装置システム。
【請求項１８】
前記送受信装置は、質問波送信範囲が一部重複するように所定の位置に設けられた複数の送受信装置であり、
前記複数の送受信装置は、前記識別情報および、前記応答波の強度を示す応答強度信号を前記機能実行手段に出力することを特徴とする請求項１に記載の無線応答装置システム。
【請求項１９】
前記送受信装置は、質問波送信範囲に存在する複数の前記無線応答装置のうち１つの無線応答装置を特定し、その特定した無線応答装置と前記質問波および前記応答波を送受信することを特徴とする請求項１に記載の無線応答装置システム。
【発明の詳細な説明】
【技術分野】
【０００１】
本発明は、無線応答装置システムに関する。
【背景技術】
【０００２】
近年、無線端末をインターネットに接続して実世界の情報をネット上に取得し、遠隔的なサービスを行うユビキタスシステムの構築が盛んに行われている。このユビキタスシステムは、あらゆるコンピュータがネットワークに接続された状態で、誰もが、何時でも、何処でも情報にアクセスできるシステムである。
【０００３】
このユビキタスシステムに用いられる無線端末としては、無線ＬＡＮ(Local Area Network)で接続されたパーソナルコンピュータ（ＰＣ）や携帯電話等の比較的大型で各種情報処理が可能なものから、短距離無線通信規格の一つのＺｉｇＢｅｅ（登録商標）等に代表される小型でセンシング機能を持ったもの、あるいはＲＦＩＤ(Radio Frequency Identification)・ＩＣカード等の小形薄型でバッテリを搭載しないＩＤ発信機能を持ったもの等があり、それらの機能に合わせた様々なアプリケーションや無線システムが検討されている。
【０００４】
この無線システムの従来例として、例えば、特許文献１に示されるものがある。
【０００５】
この無線システムは、紙等の記録媒体を挟んで保持するクリップと、クリップに取り付けられ、クリップ固有のＩＤと文書データを記憶するＲＡＭおよび無線通信部を有する制御部と、制御部と無線により通信して制御部からＩＤおよび文書データを取得する電子情報表示装置とを備えたものである。
【特許文献１】特開２００４−１９２２８７号公報
【発明の開示】
【発明が解決しようとする課題】
【０００６】
しかし、従来の無線システムによると、ＩＤに関連して文書データを取得できても、文書データに対し印刷、メール等の文書データの処理に関する機能を実行さるためには、ＰＣ等の装置を起動し、アプリケーションプログラムを起動した後、機能の選択、設定等の操作が必要となり、操作性が悪いという問題がある。
【０００７】
従って、本発明の目的は、システムが有する機能を遠隔で実行指示することができ、ユビキタス・ネットワークに適した無線応答装置システムを提供することにある。
【課題を解決するための手段】
【０００８】
本発明の一態様は、上記目的を達成するため、無線により受信した質問波に応じて識別情報を含む応答波を無線により送信する無線応答装置と、前記無線応答装置に前記質問波を送信して前記無線応答装置からの前記応答波を受信し、前記応答波に含まれる前記識別情報を取得する送受信装置と、前記送受信装置が取得した前記識別情報に割り当てられた機能を実行する機能実行手段とを備えたことを特徴とする無線応答装置システムを提供する。
【０００９】
上記無線応答装置システムによれば、送受信装置からの質問波に応じて無線応答装置から応答波を送受信装置に送信させることにより、応答波に含まれる識別情報に割り当てられた機能が機能実行手段によって実行されるので、システムが有する機能を遠隔で実行指示することができる。
【００１０】
前記無線応答装置は、前記質問波および前記応答波を送受信するアンテナと、前記識別情報を発生する識別情報発生手段と、前記アンテナと前記識別情報発生手段との間に設けられ、外部からの刺激に応じてインピーダンスが変化するインピーダンス変換部とを備えた構成とすることができる。この構成によれば、外部からインピーダンス変換部に刺激を与えることにより、インピーダンスが変化し、インピーダンスの変化に応じた応答波が出力される。
【００１１】
前記インピーダンス変換部は、外力に応じてインダクタンスが変化する可変インダクタ、外力に応じてキャパシタが変化する可変キャパシタ、又は外力若しくは外光に応じて抵抗値が変化する可変抵抗を備えた構成とすることができる。
【００１２】
前記インピーダンス変換部は、インピーダンスの変化量に応じて前記識別情報を多値信号として出力させる構成とすることができる。識別情報を多値信号として出力されるので、例えば、多値に応じた機能を実行させることも可能となる。
【００１３】
前記識別情報発生手段は、ＳＡＷ−ＩＤタグ、ＲＦ−ＩＤタグ、あるいは遅延線を用いた構成とすることができる。
【００１４】
前記識別情報発生手段が発生する前記識別情報は、前記送受信装置が前記質問波を発生してから前記応答波を受信するまでの遅延時間に対応するものとしてもよい。
【００１５】
前記機能実行手段は、前記識別情報とともに前記識別情報に割り当てられた前記機能を記憶する記憶装置と、前記送受信装置が取得した前記識別情報に基づいて前記記憶装置から前記識別情報に対応する前記機能を検索し、その検索した前記機能を実行する制御装置とを備えた構成とすることができる。
【００１６】
前記制御装置は、表示部し、前記送受信装置が取得した前記識別情報とともに前記識別情報に割り当てられた機能を前記表示部に表示する構成とすることができる。
【００１７】
前記無線応答装置は、無電源で動作する構成とすることができる。この構成によれば、無線応答装置を使用する場所が電源供給場所によって制限されなくなる。
【００１８】
前記無線応答装置は、記録媒体に着脱可能に取り付けられた構成とすることができる。記録媒体に記録された文書や画像に関連してシステムが有する機能を実行させることが可能となる。
【００１９】
前記無線応答装置は、前記記録媒体を挟持する挟持部材に取り付けられた構成とすることができる。この構成によれば、無線応答装置の着脱が容易となる。
【００２０】
前記記録媒体は、前記無線応答装置とともに、前記送受信装置からの前記質問波に応じて前記記録媒体を識別する識別情報を送信する非接触ＩＤタグが取り付けられた構成とすることができる。記録媒体から無線応答装置を取り外しても、非接触ＩＤタグによって記録媒体を識別することができる。
【００２１】
前記記録媒体は、複数の記録領域に対応して複数の前記無線応答装置が取り付けられ、
前記機能実行手段は、前記複数の無線応答装置からの複数の前記応答波にそれぞれ含まれる前記識別情報に応じた前記機能を実行する構成とすることができる。
【００２２】
前記記録媒体は、前記識別情報に割り当てられた前記機能が記録され、前記機能実行手段は、前記記録媒体の前記機能が記録された領域を撮像する撮像部と、前記撮像手段によって撮像された画像から前記機能を文字認識する文字認識部と、前記文字認識部によって文字認識された前記機能を実行する制御部とを備えた構成とすることができる。
【００２３】
前記記録媒体として、電子ペーパーを用いてもよい。これにより、文書や画像の書替えが容易となる。
【００２４】
前記機能実行手段は、前記送受信装置が取得した前記識別情報とともに前記識別情報に割り当てられた前記機能を前記電子ペーパーに表示してもよい。記録媒体を所持、閲覧する者がどのような機能が実行されるかを知ることができる。
【００２５】
前記機能実行手段は、識別情報に対応して画像データを記憶する記憶部と、前記送受信装置が取得した前記識別情報に対応する前記画像データを前記記憶部から読み出し、その読み出した前記画像データを前記電子ペーパーに表示する構成にすることができる。記録媒体を所持、閲覧する者が識別情報に対応した画像を見ることができる。
【００２６】
前記送受信装置は、質問波送信範囲が一部重複するように所定の位置に設けられた複数の送受信装置であり、前記複数の送受信装置は、前記識別情報、および前記応答波の強度を示す応答強度信号を前記機能実行手段に出力する構成とすることができる。この構成によれば、無線応答装置の位置をより正確に特定することが可能となる。
【００２７】
前記送受信装置は、質問波送信範囲に存在する複数の前記無線応答装置のうち１つの無線応答装置を特定し、その特定した無線応答装置と前記質問波および前記応答波を送受信する構成とすることができる。この構成によれば、通信エラーを減らすことが可能となる。
【発明の効果】
【００２８】
本発明によれば、システムが有する機能を遠隔で実行指示することができ、ユビキタス・ネットワークに適した無線応答装置システムを提供することができる。
【発明を実施するための最良の形態】
【００２９】
[第１の実施の形態]
図１は、本発明の第１の実施の形態に係る無線応答装置システムの概略の構成を示す。この無線応答装置システム１は、記録媒体２に着脱自在に取り付けられた無線応答装置３と、無線応答装置３から無線により無線応答装置３固有の無線応答装置ＩＤを取得する送受信装置４と、送受信装置４から通信媒体５を介して無線応答装置ＩＤを受信し、そのＩＤを基にネットワーク７を介してサーバ８内のデータベースを参照することによりＩＤに割り当てられた機能を認識し、当該機能を実行するパーソナルコンピュータで構成された機能実行手段としての制御装置６とを備えている。ネットワーク７には、上記サーバ８の他に当該機能を実行する際に必要なプリンタ９や各種装置（図示せず）が接続されている。
【００３０】
無線応答装置３は、電池を内蔵しないパッシブタイプであり、電磁結合、電磁誘導あるいはマイクロ波を用いて送受信装置４との間で質問波Ｓ1および応答波Ｓ2を送受信可能であるが、本実施の形態では、通信距離の長いマイクロ波を用いる。また、無線応答装置３の記録媒体２への取り付け方法としては、例えば、両面粘着テープ、フックとループを組み合わせたファスナ等の様々な方法を用いることができる。
【００３１】
通信媒体５には、通信ケーブル、ZigBee（登録商標）、Bluetooth（登録商標）、無線ＬＡＮ（ローカルエリアネットワーク）等を用いることができる。本実施の形態では、通信ケーブルを用いる。また、ネットワーク７には、ＬＡＮ、無線ＬＡＮ、インターネット等を用いることができる。
【００３２】
図２は、図１の無線応答装置システムのブロック図である。
【００３３】
無線応答装置３は、送受信装置４に対し無線により質問波Ｓ1を受信し、応答波Ｓ2を送信するアンテナ３０と、外部刺激としての押圧操作によってインピーダンスが変化するインピーダンス変換部３１Ａと、表面弾性波を発生する識別情報発生部としてのＳＡＷ−ＩＤタグ３２とを備え、インピーダンス変換部３１Ａに対して押圧操作がされると、アンテナ３０とＳＡＷ−ＩＤタグ３２とがインピーダンス整合状態となってアンテナ３０から応答波Ｓ2を出力し、インピーダンス変換部３１Ａに対して押圧操作がされていないときは、アンテナ３０とＳＡＷ−ＩＤタグ３２とがインピーダンス不整合状態となってアンテナ３０から応答波Ｓ2が出力されないように動作する。
【００３４】
送受信装置４は、アンテナ４０と、アンテナ４０を介して無線応答装置３に質問波Ｓ1を送信する送信部４１と、アンテナ４０を介して無線応答装置３から応答波Ｓ2を受信する受信部４２と、質問波Ｓ1を送信してから応答波Ｓ2を受信するまでの遅延時間（識別情報）に対応して無線応答装置ＩＤを記憶する記憶部４４と、タイマ４５を用いて遅延時間を計測し、その遅延時間に対応する無線応答装置ＩＤを後述する図４に示すように記憶部４４から読み出し、その無線応答装置ＩＤを無線通信部４６および通信媒体５を介して制御装置６に送信する制御部４３と、無線応答装置３から応答波Ｓ2を受信したとき、それを示す音声を発生する音声発生部４７とを備える。
【００３５】
音声発生部４７は、アンプ、スピーカ等を備え、無線応答装置３から応答波Ｓ2を受信できたとき、それを示すブザー音、「応答波を受信できました」などの音声を制御部４３の制御によりスピーカから出力する。なお、音声の代わりにあるいは音声とともに、ＬＥＤ等の光源や液晶パネル等を用いて可視表示してもよい。また、記録媒体２として電子ペーパーを用い、電子ペーパーの表示部に応答波を受信できたことを表示してもよい。
【００３６】
制御装置６は、ネットワーク７に接続された通信部６０と、キーボード、マウス等の入力部６１と、液晶ディスプレイ等の表示部６２と、無線応答装置ＩＤに割り当てられた機能を実行するための機能実行プログラムを含む各種のプログラムや各種のデータを記憶する記憶部６３と、プログラムに基づいて制御装置６各部を制御する制御部６４とを備える。
【００３７】
サーバ８は、ネットワーク７に接続された通信部８０と、登録やデータ転送等の処理を行う制御部８１と、各種のデータが登録されているデータベース８２とを備える。データベース８２には、無線応答装置ＩＤに関連して、そのＩＤに割り当てられた機能（後述する図５参照）、記録媒体２に記録される文書データ、その文書データに関連する情報等が登録されている。
【００３８】
プリンタ９は、ネットワーク７に接続された通信部９０と、用紙に文書データ等を印刷する印刷部９１とを備える。印刷部９１は、電子写真方式、インクジェット方式、感熱転写方式等の各種の方式を用いることができる。
【００３９】
（無線応答装置）
図３は、無線応答装置３の詳細な構成を示し、（ａ）はインピーダンス不整合状態を示し、（ｂ）はインピーダンス整合状態を示す。
【００４０】
ＳＡＷ−ＩＤタグ３２は、表面弾性波３２３を伝達させる圧電体基板３２０と、圧電体基板３２０上に形成され、表面弾性波３２３を励起するＩＤＴ(Inter Digit Transducer、櫛形電極)３２１と、圧電体基板３２０上にＩＤＴ３２１から所定の距離を設けて形成され、ＩＤＴ３２１が励起した表面弾性波３２３を反射するＳＡＷ反射器３２２とを備える。
【００４１】
インピーダンス変換部３１Ａは、アンテナ３０とＩＤＴ３２１との間に直列に接続された空芯コイル３１０およびキャパシタ３１１と、空芯コイル３１０内に対して出入可能に配置された強磁性体棒３１２と、強磁性体棒３１２を軸方向にガイドする円筒状のガイド３１３と、強磁性体棒３１２を空芯コイル３１０側に付勢するバネ３１４と、非磁性部材からなり、バネ３１４のバネ力に抗して強磁性体棒３１２を空芯コイル３１０内から押し出す押しボタン３１５とを備える。
【００４２】
また、インピーダンス変換部３１Ａ、押しボタン３１５を押下していない状態では、図３（ａ）に示すように、バネ３１４のバネ力によって強磁性体棒３１２が空芯コイル３１０内に挿入された状態（以下、「挿入状態」という。）となり、アンテナ３０とＳＡＷ−ＩＤタグ３２との間がインピーダンス不整合状態となる。
【００４３】
一方、バネ３１４のバネ力に抗して押しボタン３１５を押下すると、図３（ｂ）に示すように、強磁性体棒３１２が空芯コイル３１０内から押し出された状態（以下、「非挿入状態」という。）となり、アンテナ３０とＳＡＷ−ＩＤタグ３２との間がインピーダンス整合状態となる。
【００４４】
非挿入状態でアンテナ３０とＳＡＷ−ＩＤタグ３２との間がインピーダンス整合状態となり、挿入状態でインピーダンス不整合状態となるように、空芯コイル３１０は所定の自己インダクタンスを有し、キャパシタ３１１は所定の容量を有する。また、非挿入状態で空芯コイル３１０およびキャパシタ３１１は、所定の周波数を通過させるバンドバスフィルタを構成する。
【００４５】
圧電体基板３２０の材料としては、例えば、以下に示すものを用いることができる。
（１）ＳｉＯ２、ＳｒＴｉＯ３、ＢａＴｉＯ３、ＢａＺｒＯ３、ＬａＡｌＯ３、ＺｒＯ２、Ｙ２Ｏ３８％−ＺｒＯ２、ＭｇＯ、ＭｇＡｌ２Ｏ４、ＬｉＮｂＯ３、ＬｉＴａＯ３、Ａｌ２Ｏ３、ＺｎＯ等の酸化物。
（２）ＢａＴｉＯ３、ＰｂＴｉＯ３、Ｐｂ１−ｘＬａｘ（ＺｒｙＴｉ１−ｙ）１−ｘ／４Ｏ３（ｘおよびｙの値によりいわゆるＰＺＴ、ＰＬＴ、ＰＬＺＴとなる）等の、いわゆるＡＢＯ３型のペロブスカイト型材料。
（３）ＫＮｂＯ３等の正方晶，斜方晶もしくは擬立方晶系材料。
（４）ＬｉＮｂＯ３、ＬｉＴａＯ３等に代表される擬イルメナイト構造体の強誘電体材料。
（５）ＳｒｘＢａ１−ｘＮｂ２Ｏ６、ＰｂｘＢａ１−ｘＮｂ２Ｏ６等のタングステンブロンズ型材料。
（６）Ｂｉ４Ｔｉ３Ｏ１２、Ｐｂ２ＫＮｂ５Ｏ１５、Ｋ３Ｌｉ２Ｎｂ５Ｏ１５、Ｐｂ（Ｚｎ１／３Ｎｂ２／３）Ｏ３、Ｐｂ（Ｍｇ１／３Ｎｂ２／３）Ｏ３、Ｐｂ（Ｎｉ１／３Ｎｂ２／３）Ｏ３、Ｐｂ（Ｉｎ１／３Ｎｂ２／３）Ｏ３、Ｐｂ（Ｓｃ１／３Ｎｂ２／３）Ｏ３、Ｐｂ（Ｓｃ１／３Ｎａ２／３）Ｏ３、Ｐｂ（Ｃｄ１／３Ｎｂ２／３）Ｏ３等のリラクサー系強誘電体材料。
（７）ポリフッ化ビニリデン（ＰＶＤＦ）等の高分子材料。
（８）以上列挙した強誘電体の置換誘導体等から選択される複合材料。
【００４６】
ＩＤＴ３２１およびＳＡＷ反射器３２２の材料としては、Ｔｉ、Ｃｒ、Ｃｕ、Ｗ、Ｎｉ、Ｔａ、Ｇａ、Ｉｎ、Ａｌ、Ｐｂ、Ｐｔ、Ａｕ、Ａｇ等の単体金属、またはＴｉ−Ａｌ、Ａｌ−Ｃｕ、Ｔｉ−Ｎ、Ｎｉ−Ｃｒ等の合金を、単層もしくは２層以上の多層構造に積層したものを用いることができる。特に金属としてはＡｕ、Ｔｉ、Ｗ、Ａｌ、Ｃｕが好適である。また、この金属層の膜厚は、１ｎｍ以上１０μｍ未満とすることが好ましい。
【００４７】
図４は、送受信装置４の記憶部４４における記憶内容の一例を示す。記憶部４４には、遅延時間ｔ1、ｔ2、・・・に対応して無線応答装置ＩＤ「００１」、「００２」、・・・が記憶されている。測定した遅延時間が記憶部４４に記憶されている遅延時間と厳密に一致する必要はなく、一定の誤差範囲に入っていればよい。
【００４８】
図５は、サーバ８のデータベース８２における記憶内容の一部を示す。データベース８２には、前述したように、無線応答装置ＩＤに割り当てられた機能が記憶されている。割り当てられた機能は、同図中、○印で示す。なお、割当て可能な機能は、図５のものに限定されない。同図において、「ブランク」とは、機能が何も割り当てられていない状態を意味し、「プリント」とは、無線応答装置ＩＤに対応する文書データを印刷する機能であり、「検索」とは、記録媒体２に記録されている文書に関連する情報をデータベース８２から検索する機能であり、「メール」とは、無線応答装置ＩＤに対応する文書データを予め設定されているＥメールアドレスにメールする機能をいう。
【００４９】
図６は、制御装置６の表示画面における表示例を示す。制御装置６の表示部６２の表示画面６２ａには、無線応答装置アイコン６２０Ａおよびカーソル６２１が表示されており、カーソル６２１を無線応答装置アイコン６２０Ａに移動させて選択操作（ダブルクリック）を行うと、同図に示すように、無線応答装置ＩＤに割り当てられている機能を示す機能割当表６２４Ａが表示画面６２ａに表示される。
【００５０】
（第１の実施の形態の動作）
次に、無線応答装置システム１の動作を説明する。
【００５１】
（１）無線応答装置ＩＤへの機能の割当て
図７は、制御装置６の表示画面における表示例を示す。ユーザは、例えば、図７（ａ）に示すように、制御装置６の表示画面６２ａに表示されている無線応答装置アイコン６２０Ａにカーソル６２１を移動させて選択操作（ダブルクリック）を行うと、制御装置６の制御部６４は、図７（ｂ）に示す機能割当表６２４Ｂを表示部６２に表示する。ユーザは、機能割当表６２４Ｂに対して無線応答装置ＩＤに割当てを希望する機能をブランク、プリント、検索、メールから一つ選択して無線応答装置ＩＤに割り当てる操作を行う。例えば、無線応答装置ＩＤ「００１」にプリント機能を割り当て、無線応答装置ＩＤ「００２」に検索機能を割り当てる操作を行うと、サーバ８の制御部８１は、図５に示すように、データベース８２にその割当内容を登録する。図７中、割り当てられた機能を○印で示す。
【００５２】
なお、無線応答装置ＩＤへの機能の割当ては、無線応答装置アイコン６２０Ａの代わりに、図７（ｃ）に示すように記録媒体アイコン６２０Ｂを用いてもよい。また、図７（ｄ）に示すように、無線応答装置アイコン６２０Ａまたは記録媒体アイコン６２０Ｂにプリントアイコン６２３Ａ、検索アイコン６２３Ｂ、メールアイコン６２３Ｃ等の機能に対応したアイコンをドラッグ＆ドロップして行ってもよい。
【００５３】
（２）無線応答装置ＩＤの取得
送受信装置４は、所定の周期で無線応答装置３に質問波Ｓ1を送信する。無線応答装置３が送受信装置４の質問波送信範囲４ａに存在し、かつ、無線応答装置３の押しボタン３１５が押されている場合には、前述したように強磁性体棒３１２が空芯コイル３１０内から押し出されてアンテナ３０とＳＡＷ−ＩＤタグ３２との間がインピーダンス整合状態となり、無線応答装置３は、アンテナ３０から応答波Ｓ2を出力する。
【００５４】
すなわち、アンテナ３０で受信された質問波Ｓ1は、空芯コイル３１０およびキャパシタ３１１を介してＳＡＷ−ＩＤタグ３２に供給される。ＳＡＷ−ＩＤタグ３２のＩＤＴ３２１は、供給された質問波Ｓ1により表面弾性波３２３を励起する。その励起された表面弾性波３２３は、圧電体基板３２０の表面を伝搬し、ＳＡＷ反射器３２２で反射した後、再びＩＤＴ３２１に戻り、ＩＤＴ３２１にて電気信号に変換される。その電気信号は、キャパシタ３１１および空芯コイル３１０を介してアンテナ３０から応答波Ｓ2として出力される。
【００５５】
送受信装置４の制御部４３は、質問波Ｓ1を送信してから応答波Ｓ2を受信するまでの遅延時間をタイマ４５を用いて計測し、その遅延時間に対応する無線応答装置ＩＤを記憶部４４の記憶内容を参照して取得し、その取得した無線応答装置ＩＤを制御装置６に送信する。また、送受信装置４の制御部４３は、応答波Ｓ2を受信すると、それを示す音声を音声発生部４７から出力する。
【００５６】
一方、無線応答装置３の押しボタン３１５が押されていない場合には、前述したように強磁性体棒３１２が空芯コイル３１０内に挿入されてアンテナ３０とＳＡＷ−ＩＤタグ３２との間がインピーダンス不整合状態となるので、アンテナ３０で受信された質問波Ｓ1がＳＡＷ−ＩＤタグ３２に供給されないため、無線応答装置３は、応答波Ｓ2を出力しない。
【００５７】
（３）機能の実行
送受信装置４から無線応答装置ＩＤを受信した制御装置６の制御部６４は、ネットワーク７を介してサーバ８にアクセスし、データベース８２の登録内容から無線応答装置ＩＤに割り当てられた機能を認識し、当該機能を実行する。
【００５８】
その機能が、例えば、「プリント」の場合は、制御装置６の制御部６４は、サーバ８に無線応答装置ＩＤとともにプリント指令信号を送る。サーバ８の制御部８１は、無線応答装置ＩＤに対応する文書データをデータベース８２から読み出し、プリンタ９に送信してプリンタ９に印刷させる。これにより、ユーザは、記録媒体２に記録されている文書と同一の印刷文書を得ることができる。
【００５９】
また、無線応答装置ＩＤに割り当てられた機能が「検索」の場合は、制御装置６の制御部６４は、サーバ８に無線応答装置ＩＤとともに検索指令信号を送る。サーバ８の制御部８１は、無線応答装置ＩＤを基に記録媒体２に記録されている文書に関連する情報をデータベース８２を検索して読み出し、その読み出した関連情報を制御装置６に送信する。制御装置６の制御部６４は、サーバ８から送信された関連情報を記憶部６３に記憶するとともに、表示部６２に表示する。これにより、ユーザは、記録媒体２に記録されている文書の関連情報を見ることができる。
【００６０】
また、無線応答装置ＩＤに割り当てられた機能が「メール」の場合は、制御装置６の制御部６４は、サーバ８に無線応答装置ＩＤとともにメール指令信号を送る。サーバ８の制御部８１は、無線応答装置ＩＤに対応する文書データをデータベース８２から読み出し、その文書データを予め設定されているＥメールアドレス、例えば、ユーザのＥメールアドレスに送信する。
【００６１】
（第１の実施の形態の効果）
この第１の実施の形態によれば、無線応答装置３の押しボタン３１５を操作するだけの簡単な遠隔操作により、無線応答装置ＩＤに割り当てられた機能を実行させることができるので、誰もが、いつでも、どこでもネットワークにアクセスできるというユビキタス・ネットワークに適したインタフェースを提供することができる。また、無線応答装置３は、無電源で動作するためバッテリが不要であるので、小型化および低価格化が可能である。
【００６２】
なお、空芯コイル３１０の自己インダクタンス、キャパシタ３１１の容量、強磁性体棒３１２の挿入量、挿入方法、材質等を適切に設計することにより、ＯＮ／ＯＦＦの２値だけでなく、３値以上の多値にも対応することができる。
【００６３】
また、無線応答装置３のＳＡＷ−ＩＤタグ３２として遅延時間の異なる２つのＳＡＷ−ＩＤタグを用い、２つのＳＡＷ−ＩＤタグにそれぞれ空芯コイル３１０およびキャパシタ３１１を接続し、１つの強磁性体棒３１２を２つの空芯コイル３１０間で移動させることにより、遅延時間を選択できるようにしてもよい。
【００６４】
［第２の実施の形態］
図８は、本発明の第２の実施の形態に係る無線応答装置を示す。本実施の形態の無線応答装置３は、第１の実施の形態とはインピーダンス変換部が異なり、他は第１の実施の形態と同様に構成されている。
【００６５】
本実施の形態のインピーダンス変換部３１Ｂは、アンテナ３０とＩＤＴ３２１との間に直列に接続された可変キャパシタ３１６およびインダクタ３１７を備える。可変キャパシタ３１６は、導体からなる一対の平行平板３１６ａ，３１６ｂを有する。平行平板３１６ａは、アンテナ３０およびＩＤＴ３２１に接続され、平行平板３１６ｂは、平行平板３１６ａに対して垂直方向に可動できる構成になっている。
【００６６】
また、インピーダンス変換部３１Ｂは、平行平板３１６ｂに設けられた軸３１８を軸方向にガイドする円筒状のガイド３１３と、軸３１８の端部の鍔部３１９に設けられ、バネ３１４のバネ力に抗して平行平板３１６ｂを平行平板３１６ａから離間させる押しボタン３１５とを備える。
【００６７】
さらに、インピーダンス変換部３１Ｂは、押しボタン３１５を押下していない状態では、図８（ａ）に示すように、バネ３１４のバネ力によって平行平板３１６ｂは、平行平板３１６ａに近接した状態（以下、「近接状態」という。）となり、アンテナ３０とＳＡＷ−ＩＤタグ３２との間がインピーダンス不整合状態となる。
【００６８】
一方、バネ３１４のバネ力に抗して押しボタン３１５を押下すると、図８（ｂ）に示すように、平行平板３１６ｂは、平行平板３１６ａから離間した状態（以下、「離間状態」という。）となり、アンテナ３０とＳＡＷ−ＩＤタグ３２との間がインピーダンス整合状態となる。
【００６９】
離間状態でアンテナ３０とＳＡＷ−ＩＤタグ３２との間がインピーダンス整合状態となり、近接状態でインピーダンス不整合状態となるように、可変キャパシタ３１６は所定の容量を有し、インダクタ３１７は所定のインダクタンスを有する。また、離間状態で可変キャパシタ３１６およびインダクタ３１７は、所定の周波数を通過させるバンドパスフィルタを構成する。
【００７０】
この第２の実施の形態によれば、第１の実施の形態と同様に、簡単な遠隔操作により、無線応答装置ＩＤに割り当てられた機能を実行させることができ、ユビキタス・ネットワークに適したインタフェースを提供することができる。また、無線応答装置３は、無電源で動作するためバッテリが不要であるので、小型化および低価格化が可能である。
【００７１】
なお、平行平板３１６ａ，３１６ｂ間の容量や、平行平板３１６ａ，３１６ｂの近接、離間方法等を適切に設計することにより、ＯＮ／ＯＦＦの２値だけでなく、３値以上の多値にも対応することができる。
【００７２】
また、上記第１および第２の実施の形態では、インピーダンス変換部３１Ａ，３１Ｂとして、押圧操作によってインピーダンスが変換されるものを用いたが、外部刺激として光の照射によって導電率が増加する光導電セルを用いてもよい。光導電セルは、例えば、ＣｄＳ、ＣｄＳｅ、ＰｂＳ、ＩｎＳｂ等の化合物半導体を用いることができる。光を光導電セルに照射すると、抵抗値が低下してアンテナ３０とＳＡＷ−ＩＤタグ３２との間はインピーダンス整合状態となり、アンテナ３０から質問波に対する応答波が出力される。光の照射を停止すると、抵抗値が増加してアンテナ３０とＳＡＷ−ＩＤタグ３２との間はインピーダンス不整合状態となり、応答波は出力されない。また、光導電セルの抵抗値を適切に設計することにより、ＯＮ／ＯＦＦの２値だけでなく、３値以上の多値に対応することができる。
【００７３】
また、インピーダンス変換部として、光導電セルの以外に、ポテンショメータ等の他の可変抵抗を用いてもよい。また、太陽電池、圧電素子等のように外光あるいは外力によって電力を発生するデバイスを用いてもよい。また、外部刺激として、温度（熱）、湿度、加速度、気圧等によって動作するデバイスを用いてもよい。
【００７４】
また、上記第１および第２の実施の形態では、インピーダンス変換部３１Ａ，３１Ｂとして、押圧操作によってインピーダンス整合状態となるようにしたが、押圧操作によってインピーダンス非整合状態によるようにしてもよい。
【００７５】
［第３の実施の形態］
図９は、本発明の第３の実施の形態に係る無線応答装置の適用例を示す。本実施の形態の無線応答装置３は、挟持部材としてのクリップ１１Ａに取り付けたものである。クリップ１１は、上板１１０と下板１１１とが記録媒体２を先端で挟持できるように支持部１１２で開閉可能に構成されている。
【００７６】
また、無線応答装置３を、図９（ｂ）に示すように、クリップ付きボード１２の上板１１０に取り付けてもよい。このクリップ付きボード１２のボード１２０は、記録媒体２とほぼ同じかやや大きい面積を有する。
【００７７】
この第３の実施の形態によれば、無線応答装置３をクリップ１１あるいはクリップ付きボード１２に搭載しているので、無線応答装置３の記録媒体２への着脱を容易に行うことができる。
【００７８】
［第４の実施の形態］
図１０は、本発明の第４の実施の形態に係る無線応答装置システムを示す。本実施の形態の無線応答装置システム１は、第１の実施の形態とは、記録媒体２に無線応答装置３を設けるとともに、ＲＦＩＤタグ（非接触ＩＤタグ）１３を設けた点が異なり、他は第１の実施の形態と同様に構成されている。
【００７９】
図１１は、ＲＦＩＤタグ１３のブロック図である。このＲＦＩＤタグ１３は、電池を内蔵しないパッシブタイプであり、送受信装置４との間で信号を送受信するアンテナ１３０と、送受信装置４からの質問波Ｓ1を含む変調波を振幅変調して質問波Ｓ1を抽出する受信部１３１と、文書ＩＤで搬送波を変調してアンテナ１３０を介して応答波Ｓ3として送信する送信部１３２と、質問波Ｓ1を解析し、質問波Ｓ1に対応する応答データ（文書ＩＤ）を記憶部１３４から読み出して送信部１３２に出力する制御部１３３と、文書ＩＤ等を記憶する記憶部１３４と、アンテナ１３０に誘導された交流電圧を直流電圧に整流してＲＦＩＤタグ１３の各部の駆動に必要な電力を生成し、それをＲＦＩＤタグ１３の各部に供給する電力生成部１３５とを備える。
【００８０】
図１２は、制御装置６の表示画面６２ａにおける表示例を示す。表示画面６２ａには、図１２（ａ）に示すように、記録媒体アイコン６２０Ｂおよびカーソル６２１が表示されている。無線応答装置ＩＤに文書表示の機能が割り当てられていた場合、制御装置６は、ＲＦＩＤタグ１３から取得した文書ＩＤとともに文書転送指令信号をサーバ８に送信する。サーバ８の制御部８１は、データベース８２から対応する文書データを読み出し、その文書データをネットワーク７を介して制御装置６に転送する。制御装置６の制御部６４は、サーバ８から転送された文書データを記憶部６３に記憶する。
【００８１】
図１２（ａ）に示す状態において、ユーザがカーソル６２１を記録媒体アイコン６２０Ｂに移動させて選択操作（ダブルクリック）を行うと、制御装置６の制御部６４は、記憶部６３から図１２（ｂ）に示すように、ＲＦＩＤタグ１３から取得した文書ＩＤに対応する文書２０、すなわち、記録媒体２に記録されている文書２０が表示画面６２ａに表示される。なお、図１２（ｂ）中、２’は記録媒体像、３’は無線応答装置像である。
【００８２】
この第４の実施の形態によれば、記録媒体２が無線応答装置３の他にＲＦＩＤタグ１３を有することにより、無線応答装置３を記録媒体２から取り外しても記録媒体２に固定されているＲＦＩＤタグ１３が保持する記録媒体２を識別する媒体ＩＤにより記録媒体２を特定することができる。また、制御装置６が実行する機能として表示画面６２ａに画像（
文書を含む）を表示することができる。
【００８３】
［第５の実施の形態］
図１３は、本発明の第５の実施の形態に係る無線応答装置システムを示す。本実施の形態は、第１の実施の形態とは、記録媒体２に複数の記録領域２１ａ，２１ｂと、複数の記録領域２１ａ，２１ｂに対応して複数の無線応答装置３Ａ，３Ｂとを設けたものであり、他は第１の実施の形態と同様に構成されている。
【００８４】
無線応答装置３Ａ，３Ｂは、送受信装置４からの質問波Ｓ1に対してそれぞれ異なる遅延時間を有する応答波Ｓ21，Ｓ22を送信するように構成されている。
【００８５】
この第５の実施の形態によれば、複数の記録領域２１ａ，２１ｂに応じて異なる機能を実行することができる。例えば、記録領域２１ａに記録されている文書データをプリントアウトし、記録領域２１ｂに記録されている文書データをメールする等の如く、異なる処理を行うことができる。
【００８６】
［第６の実施の形態］
図１４は、本発明の第６の実施の形態に係る無線応答装置システムを示す。本実施の形態は、第１の実施の形態において、記録媒体２を電子ペーパーにしたものであり、他は第１の実施の形態と同様に構成されている。
【００８７】
本実施の形態の記録媒体２は、無電源でも表示を継続するメモリー性を有する表示部２２を備える。メモリー性を有する表示部２２として、例えば、コレステリック液晶、ゲストホスト型液晶等の液晶や、電気泳動方式、ツイストボール方式、トナーディスプレイ等を用いることができる。なお、記録媒体２が電源を備えることにより、表示部２２は、ネマティック液晶やＥＬディスプレイ等のメモリー性を有していないものでもよい。
【００８８】
送受信装置４は、無線応答装置３との間で信号Ｓ1，Ｓ2を送受信するとともに、記録媒体２の表示部２２に画像を書き込む機能を有しており、表示部２２に画像を書き込む際に、無線応答装置ＩＤに割り当てられた機能を書き込む。
【００８９】
この第６の実施の形態によれば、記録媒体２の表示部２２に無線応答装置ＩＤに割り当てられた機能が表示されるので、制御装置６のユーザは、どの機能が実行されるかを容易に把握することができる。また、記録媒体２は電子ペーパーによって構成されているので、記録媒体２の画像を自由に書き替えることができる。
【００９０】
［第７の実施の形態］
図１５は、本発明の第７の実施の形態に係る無線応答装置システムを示す。本実施の形態は、第１の実施の形態において、複数の送受信装置４（４Ａ，４Ｂ，４Ｃ，・・・）を所定の位置に配置し、これらの送受信装置４を通信媒体５によって制御装置６に接続し、記録媒体２に取り付けられた無線応答装置３の位置を特定できるようにしたものである。
【００９１】
複数の送受信装置４は、隣接する送受信装置４の質問波送信範囲４ａの一部が重なり合うように配置されている。送受信装置４は、無線応答装置３からの応答波Ｓ2から無線応答装置ＩＤを取得するだけでなく、応答波Ｓ2の強度を測定してその強度を示す応答強度信号を制御装置６に出力する。なお、同図では、複数の送受信装置４を直線的に配置しているが、複数の送受信装置４の配置は、直線的配置に限定されず、記録媒体２の移動経路に応じて任意に配置することができる。
【００９２】
制御装置６は、各送受信装置４からの応答強度信号に基づいて無線応答装置３の位置、すなわち記録媒体２の位置を特定する。例えば、無線応答装置３が送受信装置４Ａとその隣に位置する送受信装置４Ｂの質問波送信範囲４ａが重なり合う領域に存在している場合は、制御装置６は、両方の送受信装置４Ａ，４Ｂから応答波を受信するが、応答強度信号から無線応答装置３が送受信装置４Ａ，４Ｂのうちどちら寄りに存在しているかを認識することができる。
【００９３】
この第７の実施の形態によれば、無線応答装置３の２次元的、３次元的な位置を特定することができる。また、無線応答装置ＩＤに割り当てられた機能を遠隔操作により実行させることができる。
【００９４】
［第８の実施の形態］
図１６は、本発明の第８の実施の形態に係る無線応答装置システムを示す。本実施の形態は、第７の実施の形態において、複数の送受信装置４（４Ａ，４Ｂ，４Ｃ，・・・）に対応して複数の制御装置６（６Ａ，６Ｂ，６Ｃ，・・・）を接続したものである。
【００９５】
複数の送受信装置４は、隣接する送受信装置４の質問波送信範囲４ａの一部が重なり合うように配置されている。送受信装置４は、１つの質問波送信範囲４ａ内に複数の無線応答装置３が存在しても、質問波送信範囲４ａ内に存在する複数の無線応答装置３に番号を割り当て、割り当てた番号を基に特定の無線応答装置３と通信するセレクティブアクセスモードを有する。
【００９６】
この第８の実施の形態によれば、送受信装置４は、質問波送信範囲４ａ内に存在する複数の無線応答装置３のうち特定の無線応答装置３と通信するので、通信エラーを減らすことができる。
【００９７】
なお、送受信装置４は、１つの質問波送信範囲４ａ内に複数の無線応答装置３が存在しても、質問波送信範囲４ａ内に存在する複数の無線応答装置３との間で信号を送受信できるマルチアクセスモードを有していてもよい。
【００９８】
［第９の実施の形態］
図１７は、本発明の第９の実施の形態に係る無線応答装置システムを示す。本実施の形態は、第６の実施の形態において、電子ペーパーを用いた記録媒体２の表示部２２に表示された無線応答装置ＩＤおよびこのＩＤに割り当てられた機能を光学的に読み取る光学読取装置１０を付加したものであり、他は第６の実施の形態と同様に構成されている。
【００９９】
光学読取装置１０は、表示部２２を撮像するカメラと、カメラによって撮像された表示部２２の画面上の文字を認識し、文字認識結果を制御装置６に送信する文字認識部とを備える。
【０１００】
本実施の形態の制御装置６は、無線応答装置３から応答波Ｓ2を受信したことが送受信装置４から通知されると、光学読取装置１０を制御して撮像および文字認識を行わせ、光学読取装置１０から受信した文字認識結果より無線応答装置ＩＤに割り当てられた機能を認識し、当該機能を実行する。
【０１０１】
この第９の実施の形態によれば、サーバ８内のデータベースを参照しなくても、無線応答装置ＩＤに割り当てられた機能を認識することができる。
【０１０２】
なお、記録媒体２は、紙やプラスチック等からなる媒体でもよい。
【実施例１】
【０１０３】
次に、本発明の実施例１に係る無線応答装置のインピーダンス変換部について説明する。この実施例１は、第１の実施の形態に対応するものであり、空芯コイル３１０は、直径２ｍｍ、巻き数１、長さ１ｍｍのコイルからなり、非挿入状態で自己インダクタンスが約４ｎＨのものを用いた。キャパシタ３１１は、容量６．３ｐＦのものを用いた。この結果、空芯コイル３１０およびキャパシタ３１１は、非挿入状態で中心周波数１ＧＨｚのバンドパスフィルタを構成することができた。
【０１０４】
強磁性体棒３１２として、例えば、透磁率４０００Ｈ／ｍのフェライト材料を用いた場合、この強磁性体棒３１２を図３（ａ）に示すように空芯コイル３１０内に挿入すると、
空芯コイル３１０の自己インダクタンスは１０μＨ以上になる。空芯コイル３１０およびキャパシタ３１１によるバンドパスフィルタにおける信号減衰は、−５０ｄＢ以下になり、良好なインピーダンス不整合状態が得られた。
【実施例２】
【０１０５】
次に、本発明の実施例２に係る無線応答装置のインピーダンス変換部について説明する。この実施例２は、第２の実施の形態に対応するものであり、平行平板３１６ａ，３１６ｂが近接状態で容量が５ｎＦとなり、離間状態で容量が０．１ｐＦとなるようにした。インダクタ３１７は、２μＨのインダクタンスを有するコイルを用いると、離間状態で可変キャパシタ３１６およびインダクタ３１７は、中心周波数１ＧＨｚのバンドパスフィルタを構成することができた。また、近接状態において可変キャパシタ３１６およびインダクタ３１７によるバンドパスフィルタにおける信号減衰は、−５０ｄＢとなり、良好なインピーダンス不整合状態が得られた。
【０１０６】
[他の実施の形態]
なお、本発明は、上記各実施の形態に限定されず、その発明の趣旨を逸脱しない範囲で種々と変形実施が可能である。また、上記各実施の形態の構成要素を発明の趣旨を逸脱しない範囲で任意に組み合わせることができる。
【０１０７】
無線応答装置は、無電源の場合について説明したが、電源を備えたものでもよい。
【０１０８】
無線応答装置ＩＤとして、質問波を送信してから応答波を受信するまでの遅延時間を用いたが、遅延時間の代わりに、または遅延時間とともに応答波に含まれる周波数を用いてもよい。識別情報として遅延時間と周波数の両方を用いることにより、異なる種類のＩＤを１つの無線応答装置に持たせることができる。
【図面の簡単な説明】
【０１０９】
【図１】本発明の第１の実施の形態に係る無線応答装置システムの概略の構成を示す図である。
【図２】本発明の第１の実施の形態に係る無線応答装置システムの詳細な構成を示すブロック図である。
【図３】本発明の第１の実施の形態に係る無線応答装置の詳細な構成を示し、（ａ）はインピーダンス不整合状態を示し、（ｂ）はインピーダンス整合状態を示す図である。
【図４】送受信装置の記憶部における記憶内容の一例を示す図である。
【図５】サーバのデータベースにおける記憶内容の一部を示す図である。
【図６】制御装置の表示画面における表示例を示す図である。
【図７】（ａ）〜（ｄ）は、制御装置の表示画面における表示例を示す図である。
【図８】本発明の第２の実施の形態に係る無線応答装置の詳細な構成を示し、（ａ）はインピーダンス不整合状態を示し、（ｂ）はインピーダンス整合状態を示す図である。
【図９】（ａ），（ｂ）は、本発明の第３の実施の形態に係る無線応答装置の適用例を示す斜視図である。
【図１０】本発明の第４の実施の形態に係る無線応答装置システムを示すブロック図である。
【図１１】本発明の第４の実施の形態に係るＲＦＩＤタグのブロック図である。
【図１２】（ａ），（ｂ）は、制御装置の表示画面における表示例を示す図である。
【図１３】本発明の第５の実施の形態に係る無線応答装置システムを示すブロック図である。
【図１４】本発明の第６の実施の形態に係る無線応答装置システムを示すブロック図である。
【図１５】本発明の第７の実施の形態に係る無線応答装置システムを示すブロック図である。
【図１６】本発明の第８の実施の形態に係る無線応答装置システムを示すブロック図である。
【図１７】本発明の第９の実施の形態に係る無線応答装置システムを示すブロック図である。
【符号の説明】
【０１１０】
１  無線応答装置システム
２  記録媒体
２’  記録媒体像
３，３Ａ，３Ｂ  無線応答装置
３’  無線応答装置像
４ａ  質問波送信範囲
４，４Ａ，４Ｂ，４Ｃ  送受信装置
５  通信媒体
６  制御装置
７  ネットワーク
８  サーバ
９  プリンタ
１０  光学読取装置
１１  クリップ
１２  クリップ付きボード
１３  ＲＦＩＤタグ
２０  文書
２１ａ，２１ｂ  記録領域
２２  表示部
３０  アンテナ
３１Ａ，３１Ｂ  インピーダンス変換部
３２  ＳＡＷ−ＩＤタグ
４０  アンテナ
４１  送信部
４２  受信部
４３  制御部
４４  記憶部
４５  タイマ
４６  無線通信部
４７  音声発生部
６０  通信部
６１  入力部
６２  表示部
６２ａ  表示画面
６３  記憶部
６４  制御部
８０  通信部
８１  制御部
８２  データベース
９０  通信部
９１  印刷部
１１０  上板
１１１  下板
１１２  支持部
１２０  ボード
１３０  アンテナ
１３１  受信部
１３２  送信部
１３３  制御部
１３４  記憶部
１３５  電力生成部
３１０  空芯コイル
３１１  キャパシタ
３１２  強磁性体棒
３１３  ガイド
３１４  バネ
３１５  押しボタン
３１６  可変キャパシタ
３１６ａ，３１６ｂ  平行平板
３１７  インダクタ
３１８  軸
３１９  鍔部
３２０  圧電体基板
３２２  反射器
３２３  表面弾性波
６２０Ａ  無線応答装置アイコン
６２０Ｂ  記録媒体アイコン
６２１  カーソル
６２３Ａ  プリントアイコン
６２３Ｂ  検索アイコン
６２３Ｃ  メールアイコン
６２４Ａ，６２４Ｂ  機能割当表
【図１】
2007129657.tif 000003
【図２】
2007129657.tif 000004
【図３】
2007129657.tif 000005
【図４】
2007129657.tif 000006
【図５】
2007129657.tif 000007
【図６】
2007129657.tif 000008
【図７】
2007129657.tif 000009
【図８】
2007129657.tif 000010
【図９】
2007129657.tif 000011
【図１０】
2007129657.tif 000012
【図１１】
2007129657.tif 000013
【図１２】
2007129657.tif 000014
【図１３】
2007129657.tif 000015
【図１４】
2007129657.tif 000016
【図１５】
2007129657.tif 000017
【図１６】
2007129657.tif 000018
【図１７】
2007129657.tif 000019